(57)【要約】【課題】異なる色彩による塗装部同士の境界部分が多少重なっていても、美しい外観に仕上がる装飾部の構造を有する身飾品用部品および身飾品を提供すること。【解決手段】身飾品用部品である装飾部品１０は、部品本体１２の表面に装飾部を有する。当該装飾部は、前記表面における第１の範囲に施された第１塗装部である桃色塗装部１４Ａと、桃色塗装部１４Ａとは異なる色彩を有し、前記表面の前記第１の範囲に隣接した第２の範囲に施された第２塗装部である青色塗装部１４Ｃと、を含む。桃色塗装部１４Ａと青色塗装部１４Ｃとの境界部分は箔体である金箔１６で覆われている。【選択図】図２
0003217384.tif 000002
【実用新案登録請求の範囲】
【請求項１】
部品本体の表面に装飾部を有する身飾品用部品であって、
前記装飾部は、
前記表面における第１の範囲に施された第１塗装部と、
前記第１塗装部とは異なる色彩を有し、前記表面の前記第１の範囲に隣接した第２の範囲に施された第２塗装部と、
を含み、
前記第１塗装部と前記第２塗装部との境界部分が箔体で覆われていることを特徴とする身飾品用部品。
【請求項２】
前記装飾部の表面にはコーティング材が設けられていることを特徴とする請求項１に記載の身飾品用部品。
【請求項３】
請求項１または請求項２に記載の身飾品用部品を構成部品の一部に含むことを特徴とする身飾品。
【考案の詳細な説明】
【技術分野】
【０００１】
本考案は、身飾品用部品および身飾品に関し、特に、身飾品の部品表面に施される装飾部の構造に関する。
【背景技術】
【０００２】
首飾り（ネックレス）などの身飾品には、様々な態様の装飾が施された部品が用いられる。装飾の態様としては、例えば、宝石をあしらう（特許文献１）、鉱石や木材といった天然素材を加工する（特許文献２）といった態様のものが広く一般に知られている。
【０００３】
とりわけ、部品本体の表面を塗装し、金箔などの箔体で模様をあしらった装飾部品は、帯留、かんざしといった和装用の身飾品用部品として重用される。
【先行技術文献】
【特許文献】
【０００４】
【特許文献１】実用新案登録第３２０６３０８号公報
【特許文献２】特開昭６１−１３５６０３号公報
【考案の概要】
【考案が解決しようとする課題】
【０００５】
ところで、上記したような身飾品用部品において、部品本体の表面に２色以上の色彩で塗装が施される場合、異なる色彩同士の境界部分が少しでも重なると、本来目的とする色彩とは違った色合いの部分が形成されてしまうため、外観上好ましくない。
【０００６】
上記した課題に鑑み、本考案は、上記境界部分が多少重なっていても、美しい外観に仕上がる装飾部の構造を有する身飾品用部品および身飾品を提供することを目的とする。
【課題を解決するための手段】
【０００７】
上記目的を達成するため、本考案は、部品本体の表面に装飾部を有する身飾品用部品であって、前記装飾部は、前記表面における第１の範囲に施された第１塗装部と、前記第１塗装部とは異なる色彩を有し、前記表面の前記第１の範囲に隣接した第２の範囲に施された第２塗装部と、を含み、前記第１塗装部と前記第２塗装部との境界部分が箔体で覆われていることを特徴とする。
【０００８】
また、前記装飾部の表面にはコーティング材が設けられていることを特徴とする。
【０００９】
また、本考案に係る身飾品は、上記構成を有する身飾品用部品を構成部品の一部に含むことを特徴とする。
【考案の効果】
【００１０】
上記構成を有する本考案の身飾品用部品および身飾品によれば、装飾部における第１塗装部と第２塗装部との境界部分が箔体で覆われているため、この境界部分が多少重なっていても、本来目的とする色彩とは違った色合いの部分が外観に現れることがなく、装飾部が美しい外観に仕上がる構造となっている。
【図面の簡単な説明】
【００１１】
【図１】実施形態に係る首飾りおよび当該首飾りに用いられる各種装飾部品を示す斜視図である。
【図２】（ａ）は実施形態に係る装飾部品の斜視図、（ｂ）は異なる色彩を有する塗装部の境界部分を示す概略図である。
【図３】（ａ）は図２（ｂ）の二点鎖線で囲まれた部分の拡大図、（ｂ）はＡ−Ａ線に沿って切断した切断面の部分拡大図である。
【考案を実施するための形態】
【００１２】
以下、本考案に係る身飾品および身飾品用部品それぞれの実施形態について、首飾りおよび当該首飾りを構成する装飾部品を例にとり、図面を参照しながら説明する。
【００１３】
〔首飾り〕
図１に示すように、実施形態に係る首飾り１００は、その構成部品の一部に、装飾部品１０を含む。装飾部品１０は、留め具（不図示）を両端部に有するチェーンＣＨに吊り下げられている。装飾部品１０の表面には、様々な形状、模様、色彩を組み合わせた装飾が施されている。なお、この装飾部品１０のほかにも、装飾部の態様が異なる装飾部品１０Ａ，１０Ｂ，１０Ｃが複数あり、使用する部品を使用者の好みに応じて選択することが可能である。
【００１４】
〔装飾部品〕
次に、実施形態に係る装飾部品１０の構成について、図２および図３を参照しながら詳細に説明する。図２に示すように、実施形態に係る装飾部品１０は、球状をした部品本体１２を含む。部品本体１２は、木材を球形に加工したものである。部品本体１２には、その中心を通って紙面左右方向に貫通した貫通孔（不図示）が開設されており、この貫通孔にチェーンＣＨ（図１）が挿通されている。なお、この貫通孔には、チェーンＣＨの他にも、例えば、組紐や革紐のほか、芯材にマグネット材料を用いた紐状体など、種々の長尺部材を挿通してもよい。
【００１５】
部品本体１２の表面には、「桃色」「水色」「青色」からなる３色の異なる色彩による塗装が施されている。以下、これら３色の各塗装部分を区別する場合には、それぞれ、桃色塗装部１４Ａ、水色塗装部１４Ｂおよび青色塗装部１４Ｃということとし、これらを統括して称する場合には、単に「塗装部」ということとする。
【００１６】
桃色塗装部１４Ａは、部品本体１２表面における球冠部分に相当する範囲（円で囲まれた範囲）に施された塗装部分である。本例において、部品本体１２表面には、この桃色塗装部１４Ａが、球の中心を通る交円の円周上で接するように隣接して複数の範囲に形成されている。
【００１７】
水色塗装部１４Ｂは、部品本体１２表面において相互に隣接する２つの桃色塗装部１４Ａ同士の接点を通る球帯部分に相当する範囲（細長い帯状の範囲）に施された塗装部分である。本例では、部品本体１２表面に複数の水色塗装部１４Ｂが形成されており、相互に隣接する２つの水色塗装部１４Ｂ同士は、上記交円の軸上（上記貫通孔の開口部）で交差している。
【００１８】
青色塗装部１４Ｃは、部品本体１２表面における相互に隣接した２つの水色塗装部１４Ｂの間の桃色塗装部１４Ａ以外の範囲（２つの球帯部分と球冠部分とで囲まれた範囲）に施された塗装部分である。つまり、本例において、桃色塗装部１４Ａと水色塗装部１４Ｂ以外の部品本体１２の表面部分は、すべて青色塗装部１４Ｃになっている。
【００１９】
上記した桃色塗装部１４Ａ、水色塗装部１４Ｂおよび青色塗装部１４Ｃ各々の塗装に使用する塗料には、公知の有機顔料（例えば、株式会社田中直染料店製  商品名：エスカラー）などを使用することができる。
【００２０】
装飾部品１０では、このような態様で施された塗装部を下地として、その上には、図２（ａ）に示すように、金属製の箔体である金箔１６で様々な形状を組み合わせた模様があしらわれている。そして、部品本体１２の表面に施された塗装部と金箔１６で形成された模様の組合せからなる装飾部を保護するため、当該装飾部の表面にはコーティング材１８が設けられている。このコーティング材１８には、例えば、ポリウレタンやアクリルなどの透明な合成樹脂が用いられる。あるいは、光沢に優れたカシュー塗料（「カシュー」はカシュー株式会社の登録商標）を用いることとしても構わない。
【００２１】
上記構成を有する装飾部品１０は、異なる色彩を有する隣接した塗装部同士の境界部分における上記装飾部の断面構造に特徴がある。そこで、図２（ｂ）に示す、各々の境界部分のうち、第１塗装部である桃色塗装部１４Ａと、この桃色塗装部１４Ａが施された第１の範囲に隣接した第２の範囲に施された第２塗装部である青色塗装部１４Ｃとの境界部分（図２（ｂ）において二点鎖線の円で囲まれた部分）を例にとり、その断面構造について説明する。
【００２２】
図３に示すように、桃色塗装部１４Ａと青色塗装部１４Ｃとの境界部分は、概ね一定の幅を有する帯状をした金箔１６で覆われている。そして、境界部分を覆う金箔１６、および、その両側にある桃色塗装部１４Ａ、青色塗装部１４Ｃの各々が、保護層であるコーティング材１８で覆われている。これにより、桃色塗装部１４Ａと青色塗装部１４Ｃとの境界部分は、実質的には、外観に現れることがなく、外部からは視認できない状態になるため、仮に、桃色塗装部１４Ａと青色塗装部１４Ｃの境界部分が重なって、本来目的とする色彩とは違った色合いの部分が形成されたとしても、装飾部が美しい外観に仕上がるのである。また、境界部分を覆う金箔１６の形状等を生かした模様をあしらうことにより、自然な美感を与えつつも華やかな装飾に仕上げることが可能となるのである。
【００２３】
以上、本考案に係る身飾品用部品および身飾品を実施形態に基づいて説明してきたが、本考案は、上記した形態に限らないことは勿論であり、例えば、以下のような形態で実施されても構わない。
【００２４】
＜変形例＞
（１）上記実施形態に係る装飾部品１０では、境界部分が少しでも重なると、本来目的とする色彩とは違った色合いの部分が形成されやすい、暖色系の色彩である桃色塗装部１４Ａと、寒色系の色彩である青色塗装部１４Ｃとの境界部分にのみ上記構造が採用されていたが、すべての塗装部同士の境界部分に上記構造が採用されていても勿論構わない。
【００２５】
（２）部品本体における塗装部の形態（塗装を施す範囲や形状など）は何ら限定されるものではない。要は、隣接した範囲に施された異なる色彩の塗装部同士の境界部分であれば、上記構造を採用することができるのである。
【００２６】
（３）上記実施形態では、部品本体１２に設けられた貫通孔について特に言及しなかったが、この貫通孔の内周面にも塗装を施すこととしても構わない。また、貫通孔の内周面にコーティング材を設けてもよい。この場合も、上記実施形態と同様、ポリウレタンやアクリルなどの透明な合成樹脂や光沢に優れたカシュー塗料（「カシュー」はカシュー株式会社の登録商標）を用いることが可能である。
【００２７】
また、部品本体の表面に用いるコーティング材と貫通孔の内周面に用いるコーティング材は、同じ材質のものであってもよいし、異なる材質のものを用いても構わない。
【００２８】
（４）上記実施形態では、塗装に使用する塗料として公知の有機顔料を用いたが、無機顔料や特殊顔料（例えば、蛍光顔料など）を用いても構わない。また、顔料系の塗料に限らず、染料系の塗料を用いることも勿論可能である。
【００２９】
（５）上記実施形態では、境界部分を覆う箔体として金箔１６が用いられていたが、銀箔その他の種類の金属箔を用いることとしても構わない。また、異種金属箔が混在した装飾を施してもよい。
【００３０】
（６）上記実施形態では、球状の部品本体１２が用いられたが、部品本体の形状は特に限定されるものではない。例えば、半球状であってもよいし、何らかをモチーフとした形状に加工されていてもよい。
【００３１】
（７）上記実施形態では、首飾りの装飾部品を例示したが、本考案に係る身飾品用部品および身飾品は、例えば、帯留、かんざしといった和装用の身飾品の部品に適用できることは勿論、いわゆるループタイ（ポーラー・タイ）の装飾部品にも適用することが可能である。
【００３２】
本考案は、その趣旨を逸脱しない範囲で当業者の知識に基づいて種々なる改良、修正、又は変形を加えた態様でも実施できる。また、同一の作用又は効果が生じる範囲内で、何れかの考案特定事項を他の技術に置換した形態で実施しても良い。
【符号の説明】
【００３３】
１０    装飾部品
１２    部品本体
１４Ａ  桃色塗装部
１４Ｂ  水色塗装部
１４Ｃ  青色塗装部
１６    金箔
１８    コーティング材
１００    首飾り
【図１】
0003217384.tif 000003
【図２】
0003217384.tif 000004
【図３】
0003217384.tif 000005